(57)【要約】表示装置（１）は動作指示に基づいて動作する装置に搭載され、表示部（２０）とハードキー（３０）と画面情報取得部（１０１）とステータス情報取得部（１０３）と記憶部（４０）と項目取得部（１０５）と表示制御部（１０７）とを備える。表示部（２０）にはユーザーが動作指示を入力可能な入力画面（２１）が表示される。画面情報取得部（１０１）は入力画面（２１）の画面情報を取得する。ステータス情報取得部（１０３）は装置のステータス情報を取得する。記憶部（４０）にはステータス情報と画面情報と表示部（２０）に表示させるソフトキー（２３）の項目とを関連づけるテーブル（４１）が格納される。項目取得部（１０５）はステータス情報及び画面情報から項目を取得する。表示制御部（１０７）はハードキー（３０）が押下されることに応じて、項目に対応するソフトキー（２３）を表示部（２０）にさらに表示させる。
2016104087.tif 000002
【特許請求の範囲】
【請求項１】
動作指示に基づいて動作する装置に搭載される表示装置であって、
ユーザーがソフトキーを介して前記動作指示を入力可能な入力画面を表示する表示部と、
ハードキーと、
前記入力画面の画面情報を取得する画面情報取得部と、
前記装置のステータス情報を取得するステータス情報取得部と、
前記ステータス情報と、前記画面情報と、前記表示部に表示させる前記ソフトキーの項目とを関連付けるテーブルが格納される記憶部と、
前記ステータス情報及び前記画面情報から前記項目を取得する項目取得部と、
前記ハードキーが押下されることに応じて、前記項目に対応するソフトキーを前記表示部にさらに表示させる表示制御部と
を備える、表示装置。
【請求項２】
前記表示制御部は、前記動作指示が入力されることに応じて、前記表示部に表示される前記ソフトキーを非表示にする、請求項１に記載の表示装置。
【請求項３】
前記表示部に前記ソフトキーが表示される状態で、前記ハードキーが押下されることに応じて、前記表示制御部は、前記表示部に表示される前記ソフトキーを非表示にする、請求項１に記載の表示装置。
【請求項４】
前記ハードキーは、１個である、請求項１に記載の表示装置。
【請求項５】
前記ソフトキーの前記項目は、ユーザーが任意に設定する、請求項１に記載の表示装置。
【請求項６】
前記ソフトキーの前記項目が少ない程、前記ソフトキーが前記表示部の表示領域を占有する範囲は小さくなる、請求項１に記載の表示装置。
【請求項７】
動作指示に基づいて動作する装置に搭載され、ハードキー及び記憶部を備える表示装置の実行する表示方法であって、
ユーザーがソフトキーを介して前記動作指示を入力可能な入力画面を表示することと、
前記装置のステータス情報を取得する手順と、
前記入力画面の画面情報を取得する手順と、
前記記憶部に、前記ステータス情報と、前記画面情報と、前記表示部に表示させる前記ソフトキーの項目とを関連付けるテーブルを格納する手順と、
前記ステータス情報及び前記画面情報から前記項目を取得する手順と、
前記ハードキーが押下されることに応じて、前記項目に対応するソフトキーを表示させる手順と
を含む、表示方法。
【発明の詳細な説明】
【技術分野】
【０００１】
本発明は、表示装置及び表示方法に関する。
【背景技術】
【０００２】
近年、画像形成装置に対して、小型化が要求されている。そこで、タッチパネルを備える画像形成装置においては、ハードウェアキーが削除され、ハードウェアキーの代替手段として、タッチパネル（画面）にソフトキーが表示される。従って、画像形成装置には小型化が実現されている。しかしながら、タッチパネルにソフトキーを表示させる場合、ソフトキーの表示サイズは、タッチパネルのサイズに依存して決定される。従って、タッチパネルのサイズが小さい程、ソフトキーの表示サイズは小さくなる。その結果、ユーザーにとって、ソフトキーの操作性が低下する。【０００３】
そこで、特許文献１に記載の画像形成装置では、タッチパネルにソフトキーを表示させるとともに、ハードウェアキーボードが接続される。ユーザーは、ソフトキーを操作することで、タッチパネルに表示される画面を切り替え、ハードウェアキーボードを操作することで、キー入力を行う。
【先行技術文献】
【特許文献】
【０００４】
【特許文献１】特開２０１２−６５２３１号公報
【発明の概要】
【発明が解決しようとする課題】
【０００５】
しかしながら、特許文献１に記載の画像形成装置では、画像形成装置を操作するためのデバイスが増加する。ユーザーは、画像形成装置の使用状況に応じて、画像形成装置を操作するためのデバイスを選択する。その結果、画像形成装置の操作は複雑化し、画像形成装置の操作性が低下する。【０００６】
本発明は、上記課題に鑑みてなされたものであり、ユーザーにとっての操作性の低下を抑制できる、表示装置及び表示方法を提供することを目的としている。
【課題を解決するための手段】
【０００７】
本発明の第１の観点によれば、表示装置は、動作指示に基づいて動作する装置に搭載される。表示装置は、表示部と、ハードキーと、画面情報取得部と、ステータス情報取得部と、記憶部と、項目取得部と、表示制御部とを備える。表示部は、ユーザーがソフトキーを介して前記動作指示を入力可能な入力画面を表示する。画面情報取得部は、前記入力画面の画面情報を取得する。ステータス情報取得部は、前記装置のステータス情報を取得する。記憶部には、前記ステータス情報と、前記画面情報と、前記表示部に表示させる前記ソフトキーの項目とを関連付けるテーブルが格納される。項目取得部は、前記ステータス情報及び前記画面情報から前記項目を取得する。表示制御部は、前記ハードキーが押下されることに応じて、前記項目に対応するソフトキーを前記表示部にさらに表示させる。【０００８】
本発明の第２の観点によれば、表示方法は、動作指示に基づいて動作する装置に搭載され、ハードキー及び記憶部を備える表示装置に実行される。表示方法は、ユーザーがソフトキーを介して前記動作指示を入力可能な入力画面を表示する手順と、前記装置のステータス情報を取得する手順と、前記入力画面の画面情報を取得する手順と、前記記憶部に、前記ステータス情報と、前記画面情報と、前記表示部に表示させる前記ソフトキーの項目とを関連付けるテーブルを格納する手順と、前記ステータス情報及び前記画面情報から前記項目を取得する手順と、前記ハードキーが押下されることに応じて、前記項目に対応するソフトキーを表示させる手順とを含む、表示方法。
【発明の効果】
【０００９】
本発明によれば、ユーザーにとっての操作性の低下を抑制できる。
【図面の簡単な説明】
【００１０】
【図１】本発明の実施形態に係る表示装置を示すブロック図である。
【図２】本発明の実施形態に係る表示装置の表示部を示す図である。
【図３】本発明の実施形態に係る表示装置の記憶部に格納されるテーブルの一例を示す図である。
【図４Ａ】本発明の実施形態に係る表示装置の表示部に表示されるソフトキーの一例を示す。
【図４Ｂ】本発明の実施形態に係る表示装置の表示部に表示されるソフトキーの他の一例を示す。
【図５】本発明の実施形態に係る表示装置が実行する表示方法を示すフローチャートである。
【発明を実施するための形態】
【００１１】
本発明の実施形態について、図面を参照して説明する。なお、以下に説明する実施形態は、特許請求の範囲に係る発明を限定するものではない。また、実施形態の中で説明する構成要素の全てが発明の解決手段に必須であるとは限らない。複数の図を通じて同一の符号は、同一の構成要素を示している。
【００１２】
図１から図４Ａを参照して、本発明の実施形態に係る表示装置１を説明する。図１は、表示装置１を示すブロック図である。表示装置１は、制御部１０と、表示部２０と、表示装置１に物理的に設けられるハードキー３０と、記憶部４０とを備える。表示装置１は、例えば、動作指示に基づいて動作する装置に搭載される。本実施形態において、装置が画像形成装置である場合を例に挙げて説明する。画像形成装置は、例えば、コピー機、プリンター、ファクシミリ、又は複合機である。複合機は、例えば、コピー機、プリンター、及びファクシミリのうち少なくとも２つの機器を備える。
【００１３】
図２は、表示部２０を示す。表示部２０は、タッチパネルであり、表示部２０への接触位置を検出する。表示部２０には、入力画面２１が表示される。入力画面２１は、ユーザーが画像形成装置に動作指示を入力可能な画面である。ユーザーは、表示部２０を接触することで画像形成装置に動作指示を入力する。
【００１４】
入力画面２１には、例えば、コピー設定画面、ファックス設定画面、又はシステム画面が表示される。コピー設定画面は、画像形成装置がコピー機能を実行するための動作指示を入力可能な画面である。ファックス設定画面は、画像形成装置がファックス機能を実行するための動作指示を入力可能な画面である。システム画面は、画像形成装置のオペレーティングシステムを入力可能な画面である。
【００１５】
制御部１０は、画面情報取得部１０１と、ステータス情報取得部１０３と、項目取得部１０５と、表示制御部１０７とを含む。制御部１０は、例えば、ＣＰＵ（Ｃｅｎｔｒａｌ  Ｐｒｏｃｅｓｓｉｎｇ  Ｕｎｉｔ）である。制御部１０は、表示部２０及び画像形成装置の各要素を制御する。
【００１６】
画面情報取得部１０１は、入力画面２１の画面情報を取得する。画面情報は、入力画面２１に表示される画面の内容を示す。画面情報取得部１０１は、入力画面２１にコピー設定画面が表示されていれば、「コピー設定」を示す画面情報を取得する。画面情報取得部１０１は、入力画面２１にファックス設定画面が表示されていれば、「ファックス設定」を示す画面情報を取得する。画面情報取得部１０１は、入力画面２１にシステム画面が表示されていれば、「システム」を示す画面情報を取得する。
【００１７】
ステータス情報取得部１０３は、画像形成装置のステータス情報を取得する。ステータス情報は、画像形成装置の状態を示す。ステータス情報には、例えば、待機状態、ジョブ状態、又はエラー状態が該当する。待機状態は、画像形成装置が動作指示の入力を待機する状態を示す。ジョブ状態は、入力された動作指示に基づいて、画像形成装置がジョブを実行している状態を示す。エラー状態は、画像形成装置にエラーが発生している状態を示す。画像形成装置に発生するエラーは、例えば、画像を形成するためのシートが、画像形成装置に収納されていない状態で、シートへの画像の形成を実行させる動作指示が入力される際に発生する。
【００１８】
ステータス情報取得部１０３は、画像形成装置が待機状態であれば、「待機」を示すステータス情報を取得する。ステータス情報取得部１０３は、画像形成装置がジョブ状態であれば、「ジョブ」を示すステータス情報を取得する。ステータス情報取得部１０３は、画像形成装置がエラー状態であれば、「エラー」を示すステータス情報を取得する。
【００１９】
記憶部４０は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）、及び補助記憶装置（例えば、ハードディスクドライブ）を含む。ＲＯＭには、制御部１０によって実行される種々のコンピュータープログラム及びテーブル４１が格納される。図３は、テーブル４１の一例を示す。テーブル４１には、画面情報と、ステータス情報と、項目とが関連付けられている。項目は、表示部２０に表示されるソフトキー２３の項目を示す。画面情報の項目には、例えば、コピー設定、ファックス設定、及びシステムが含まれる。ステータス情報の項目には、例えば、待機、ジョブ、及びエラーが含まれる。ソフトキー２３の項目には、例えば、スタート、リセット、送信、ストップ、スリープ、シャットダウン、ファックス、スキャナー、テンキー、ヘルプ、及びキャンセルが含まれる。
【００２０】
項目取得部１０５は、テーブル４１を参照して、ソフトキー２３の項目を取得する。具体的には、項目取得部１０５は、画面情報取得部１０１が取得する画面情報、及びステータス情報取得部１０３が取得するステータス情報からソフトキー２３の項目を取得する。テーブル４１に設定されるソフトキー２３の項目は、ユーザーが任意に設定できる。
【００２１】
図４Ａは、表示部２０に表示されるソフトキー２３の一例を示す。表示制御部１０７は、ハードキー３０が押下されることに応じて、ソフトキー２３を表示部２０に表示させる。表示部２０に表示されるソフトキー２３は、項目取得部１０５が取得したソフトキー２３の項目に対応する。ユーザーは、ソフトキー２３を介して、つまり、表示部２０に表示されるソフトキー２３に接触して、画像形成装置に動作指示を入力する。
【００２２】
表示制御部１０７は、入力画面２１に動作指示が入力されること、つまり、ユーザーがソフトキー２３を介して動作指示を入力することに応じて、表示部２０に表示されるソフトキー２３を非表示にする。また、表示制御部１０７は、表示部２０にソフトキー２３が表示される状態で、ハードキー３０が押下されることに応じて、表示部２０に表示されるソフトキー２３を非表示にする。従って、ユーザーは、容易な操作で表示部２０に表示されるソフトキー２３を非表示にできる。
【００２３】
以上、図１〜図４Ａを参照して説明したように、本実施形態によれば、ユーザーは、表示部２０に表示される入力画面２１の画面情報、及び画像形成装置のステータス情報に応じたソフトキー２３の項目を設定できる。従って、表示部２０に表示されるソフトキー２３は、ユーザーによる画像形成装置の操作状況によって決定される。その結果、ユーザーが画像形成装置に動作指示を入力する際の画像形成装置の操作性の低下を抑制する。
【００２４】
また、本実施形態によれば、テーブル４１に関連付けられるソフトキー２３の項目は、ユーザーが任意に設定する。従って、表示部２０に表示されるソフトキー２３は、ユーザーの画像形成装置の使用方法に応じて設定される。その結果、ユーザーが画像形成装置に動作指示を入力する際の画像形成装置の操作性の低下を更に抑制する。
【００２５】
さらに、本実施形態によれば、ユーザーがテーブル４１に関連付けられるソフトキー２３の項目を少なくする程、ソフトキー２３が表示部２０の表示領域を占有する範囲は小さくなる。従って、表示部２０の視認性の低下を抑制できる。その結果、ユーザーにとって、表示部２０に表示される入力画面２１への動作指示の入力が容易になる。
【００２６】
さらに、本実施形態によれば、ユーザーは、ハードキー３０を押下することによって、表示部２０にソフトキー２３を表示させる。従って、簡略な操作でソフトキー２３を表示部２０に表示できる。その結果、ユーザーにとって、画像形成装置への動作指示の入力がさらに容易になる。
【００２７】
さらに、本実施形態によれば、表示装置１に備えられるハードキー３０は１個である。従って、表示装置１の製造工程を簡略化できる。また、表示装置１を小型化できる。その結果、表示装置１の生産性が向上する。
【００２８】
次に、図１、図３及び図４Ａを参照して表示部２０に表示されるソフトキー２３の一例について説明する。一例では、表示部２０の入力画面２１にコピー設定画面が表示され、画像形成装置が待機状態である場合について説明する。画面情報取得部１０１は、画面情報として「コピー設定」を取得する。ステータス情報取得部１０３は、ステータス情報として「待機」を取得する。
【００２９】
項目取得部１０５は、テーブル４１を参照して、表示部２０に表示されるソフトキー２３の項目を取得する。つまり、一例では、項目取得部１０５は、ソフトキー２３の項目として、スタート、リセット、送信、ストップ、スリープ、シャットダウン、ファックス、スキャナー、及びテンキーを取得する。従って、表示制御部１０７は、ソフトキー２３の項目に対応するソフトキー２３を表示部２０に表示する。つまり、ハードキー３０が押下されることに応じて、表示部２０には、スタートキー２３１、リセットキー２３２、送信キー２３３、ストップキー２３４、スリープキー２３５、シャットダウンキー２３６、ファックスキー２３７、スキャナーキー２３８、及びテンキー２３９が表示される。
【００３０】
次に、図１、図３、及び図４Ｂを参照して、表示部２０に表示されるソフトキー２３の他の一例について説明する。図４Ｂは、表示部２０に表示されるソフトキー２３の他の一例を示す。他の一例では、表示部２０の入力画面２１にコピー設定画面が表示され、画像形成装置が、ジョブ状態である場合について説明する。他の一例では、画像形成装置は、シートに画像を形成するジョブを実行する。画面情報取得部１０１は、画面情報として「コピー設定」を取得し、ステータス情報取得部１０３は、ステータス情報として「ジョブ」を取得する。
【００３１】
項目取得部１０５は、テーブル４１を参照して、表示部２０に表示されるソフトキー２３の項目を取得する。つまり、他の一例では、項目取得部１０５は、ソフトキー２３の項目として、スタート、リセット、送信、ストップ、ファックス、スキャナー、及びテンキーを取得する。従って、ハードキー３０が押下されることに応じて、表示部２０には、スタートキー２３１、リセットキー２３２、送信キー２３３、ストップキー２３４、ファックスキー２３７、スキャナーキー２３８、及びテンキー２３９が表示される。
【００３２】
本実施形態によれば、ユーザーは、テーブル４１に関連付けられるソフトキー２３の項目を任意に設定できる。例えば、ユーザーは、画像形成装置がジョブ状態である場合に、画像形成装置への電源の供給に関するソフトキー２３の項目を設定させない。従って、ユーザーは、画像形成装置がジョブ状態である場合に、画像形成装置への電源の供給を抑制するための動作指示に対応するソフトキー２３を非表示にできる。その結果、ジョブ状態の画像形成装置に対して、ユーザーの誤った動作指示に基づいて、画像形成装置への電源の供給を抑制することを防止できる。
【００３３】
また、本実施形態によれば、ユーザーは、入力画面２１にシステム画面が表示されている場合に、ジョブの実行開始に関するソフトキー２３の項目を設定させない。従って、ユーザーは、入力画面２１にシステム画面が表示されている状態である場合に、画像形成装置がジョブを実行開始するための動作指示に対応するソフトキー２３を非表示にできる。その結果、オペレーションシステムの設定中画像形成装置に対して、ユーザーの誤った動作指示に基づく画像形成装置の誤作動を防止できる。
【００３４】
次に、図１〜図５を参照して、表示装置１が実行するソフトキー２３の表示方法について説明する。図５は、表示方法を示すフローチャートである。表示方法に従って、ソフトキー２３が表示部２０に表示される。表示方法は、ステップＳ１０１〜ステップＳ１０７を実行することによって、入力画面２１の表示内容及び画像形成装置のステータス状態に応じたソフトキー２３が表示部２０に表示される。具体的には次の通りである。
【００３５】
ステップＳ１０１において、画面情報取得部１０１は、入力画面２１の画面情報を取得する。ステップＳ１０３において、ステータス情報取得部１０３は、画像形成装置のステータス情報を取得する。ステップＳ１０５において、項目取得部１０５は、表示部２０に表示されるソフトキー２３の項目を取得する。具体的には、項目取得部１０５は、テーブル４１を参照して、ステップＳ１０１において取得された画面情報、及びステップＳ１０３において取得されたステータス情報によってソフトキー２３の項目を取得する。
【００３６】
ステップＳ１０７において、ユーザーは、ハードキー３０を押下する。ステップＳ１０９において、表示制御部１０７は、ソフトキー２３を表示部２０に表示させる。具体的には、表示制御部１０７は、ステップＳ１０５において取得したソフトキー２３の項目に対応するソフトキー２３を表示部２０に表示させる。
【００３７】
以上、図１〜図５を参照して、本発明に係る実施形態が説明された。但し、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００３８】
（１）図３を参照して説明したように、テーブル４１に関連付けられる画面情報、ステータス情報、及びソフトキー２３の項目のそれぞれは、説明の便宜上、日本語、カタカナ、及び漢字で示される文字列であった。画面情報、ステータス情報、及び／又は項目のそれぞれには、アルファベット及び／又は数字で示されるコードであってもよい。
【００３９】
（２）図２を参照して説明したように、表示装置１には、ハードキー３０が１つ設けられた。ただし、表示装置１には、複数のハードキー３０が設けられてもよい。
【００４０】
（３）図３を参照して説明したように、ステータス情報には、ジョブ状態が該当した。ただし、ユーザーは、ジョブ状態を、例えば画像形成中、ファックス送信中、又はスキャナー実行中に分類することができる。この場合、ユーザーの使用状況にさらに応じたソフトキー２３を表示部２０に表示できる。
【産業上の利用可能性】
【００４１】
本発明は、表示装置の分野に利用可能である。
【図１】
2016104087.tif 000003
【図２】
2016104087.tif 000004
【図３】
2016104087.tif 000005
【図４Ａ】
2016104087.tif 000006
【図４Ｂ】
2016104087.tif 000007
【図５】
2016104087.tif 000008
【手続補正書】
【提出日】平成29年5月1日(2017.5.1)
【手続補正１】
【補正対象書類名】特許請求の範囲
【補正対象項目名】全文
【補正方法】変更
【補正の内容】
【特許請求の範囲】
【請求項１】
動作指示に基づいて動作する装置に搭載される表示装置であって、
ユーザーがソフトキーを介して前記動作指示を入力可能な入力画面を表示する表示部と、
ハードキーと、
前記入力画面の画面情報を取得する画面情報取得部と、
前記装置のステータス情報を取得するステータス情報取得部と、
前記ステータス情報と、前記画面情報と、前記表示部に表示させる前記ソフトキーの項目とを関連付けるテーブルが格納される記憶部と、
前記ステータス情報及び前記画面情報から前記項目を取得する項目取得部と、
前記ハードキーが押下されることに応じて、前記項目に対応するソフトキーを前記表示部にさらに表示させる表示制御部と
を備え、
前記ステータス情報は、
前記装置が前記動作指示の入力を待機する状態を示す待機状態と、
入力された前記動作指示に基づいて、前記装置がジョブを実行している状態を示すジョブ状態と、
前記装置にエラーが発生している状態を示すエラー状態と
を含む、表示装置。
【請求項２】
前記表示制御部は、前記動作指示が入力されることに応じて、前記表示部に表示される前記ソフトキーを非表示にする、請求項１に記載の表示装置。
【請求項３】
前記表示部に前記ソフトキーが表示される状態で、前記ハードキーが押下されることに応じて、前記表示制御部は、前記表示部に表示される前記ソフトキーを非表示にする、請求項１又は請求項２に記載の表示装置。
【請求項４】
前記ハードキーは、１個である、請求項１から請求項３のいずれか１項に記載の表示装置。
【請求項５】
前記ソフトキーの前記項目は、ユーザーが任意に設定する、請求項１から請求項４のいずれか１項に記載の表示装置。
【請求項６】
前記ソフトキーの前記項目が少ない程、前記ソフトキーが前記表示部の表示領域を占有する範囲は小さくなる、請求項１から請求項５のいずれか１項に記載の表示装置。
【請求項７】
前記装置が前記ジョブ状態である場合に、前記装置への電源の供給を規制するための動作支持に対応するソフトキーが非表示にされる、請求項１から請求項６のいずれか１項に記載の表示装置。
【請求項８】
前記入力画面は、コピー設定画面と、ファックス設定画面と、システム画面とを含み、
前記コピー設定画面は、前記装置がコピー機能を実行するための動作指示を入力可能な画面であり、
前記ファックス設定画面は、前記装置がファックス機能を実行するための動作指示を入力可能な画面であり、
前記システム画面は、前記装置のオペレーティングシステムを入力可能な画面であり、
前記入力画面に前記システム画面が表示されている場合に、前記装置がジョブを実行開始するための動作指示に対応するソフトキーが非表示にされる、請求項１から請求項７のいずれか１項に記載の表示装置。
【請求項９】
前記ソフトキーは、テンキーに加えて、スタートキー、リセットキー、送信キー、ストップキー、スリープキー、シャットダウンキー、ファックスキー、及びスキャナーキーを含む、請求項１から請求項８のいずれか１項に記載の表示装置。
【請求項１０】
動作指示に基づいて動作する装置に搭載され、ハードキー及び記憶部を備える表示装置の実行する表示方法であって、
ユーザーがソフトキーを介して前記動作指示を入力可能な入力画面を表示することと、
前記装置のステータス情報を取得する手順と、
前記入力画面の画面情報を取得する手順と、
前記記憶部に、前記ステータス情報と、前記画面情報と、表示部に表示させる前記ソフトキーの項目とを関連付けるテーブルを格納する手順と、
前記ステータス情報及び前記画面情報から前記項目を取得する手順と、
前記ハードキーが押下されることに応じて、前記項目に対応するソフトキーを表示させる手順と
を含み、
前記ステータス情報は、
前記装置が前記動作指示の入力を待機する状態を示す待機状態と、
入力された前記動作指示に基づいて、前記装置がジョブを実行している状態を示すジョブ状態と、
前記装置にエラーが発生している状態を示すエラー状態と
を含む、表示方法。
【国際調査報告】
2016104087.tif 000009
2016104087.tif 000010